(57)【要約】【課題】撮影画像のより合焦したポイントをユーザに表示する撮像装置および撮像表示方法を提供する。【解決手段】被写体の撮影時にＬＣＤ３１に被写体と測距枠３２を重畳して表示する。合焦した測距枠の色を変化等させ、合焦枠の位置情報を例えばＲＡＭ１７に保管する。撮影画像の合焦枠の撮影時に近接合焦領域を有する画像をＬＣＤ３１に優先的に拡大表示することで、より合焦した領域をユーザに表示することができる。さらに、互いに近接する合焦枠をまとめてＬＣＤ３１に拡大表示することもでき、これにより合焦枠が複数ある場合でもユーザに拡大表示する画像のステップ数を減らすことができ操作性を向上することができる。【選択図】  図２
2005295418.tif 000002
【特許請求の範囲】
【請求項１】
被写体を撮影し、上記被写体の画像データを表示する表示部を備えた撮像装置において、
上記被写体の撮影時に上記表示部には、上記被写体と上記被写体の合焦領域を示す表示枠が重畳して表示され、
上記画像データの再生時に、近接合焦領域をより多く有する表示枠を優先的に拡大表示するようにした撮像装置。
【請求項２】
上記表示部には、拡大表示される表示枠の情報に関するアイコンが表示される請求項１に記載の撮像装置。
【請求項３】
被写体を撮影し、上記被写体の画像データを表示する表示部を備えた撮像装置において、
上記被写体の撮影時に上記表示部には、上記被写体と上記被写体の合焦領域を示す表示枠が重畳して表示され、
上記画像データの再生時に、上記合焦領域を示す表示枠が互いに近接しているか否かを判別し、近接している場合には、互いに近接する複数の表示枠の全てを含む領域を設定し、上記設定された領域を優先的に拡大表示するようにした撮像装置。
【請求項４】
上記表示部には、拡大表示される領域および表示枠の情報に関するアイコンが表示される請求項３に記載の撮像装置。
【請求項５】
上記領域は、中心を、上記互いに近接する複数の表示枠の中で近接合焦領域を最も多く有する表示枠の略中心に近づけるようにして設定されて拡大表示される請求項３に記載の撮像装置。
【請求項６】
被写体を撮影し、上記被写体の画像データを表示部に表示する撮像表示方法において、
上記被写体の撮影時に上記表示部に、上記被写体と上記被写体の合焦領域を示す表示枠が重畳して表示されるステップと、
上記画像データの再生時に、近接合焦領域をより多く有する表示枠を優先的に表示するステップを含む撮像表示方法。
【請求項７】
被写体を撮影し、上記被写体の画像データを表示部に表示する撮像表示方法において、
上記被写体の撮影時に上記表示部には、上記被写体と上記被写体の合焦領域を示す表示枠が重畳して表示されるステップと、
上記画像データの再生時に、上記合焦領域を示す表示枠が互いに近接しているか否かを判別するステップと、
近接している場合に、互いに近接する複数の表示枠の全てを含む領域を設定するステップと、
上記設定された領域を優先的に拡大表示するステップを含む撮像表示方法。
【請求項８】
上記領域は、中心を、上記互いに近接する複数の表示枠の中で近接合焦領域を最も多く有する表示枠の略中心に近づけるようにして設定される請求項７に記載の撮像表示方法。
【発明の詳細な説明】
【技術分野】
【０００１】
この発明は、撮像装置および撮像表示方法に関する。
【背景技術】
【０００２】
近年、ディジタルカメラやカムコーダ（camcoder：camera and recorderを略した用語）などと称される撮像装置が広く普及している。このような撮像装置には、撮影時にピントを合わせたり、撮影時のカメラアングルを調整するために、撮影画像を表示する例えば液晶モニタが設けられることが多い。
【０００３】
また、最近ではユーザが撮影対象の画像のピントをより容易に合わせることができるように液晶モニタに測距枠を表示し、合焦した測距枠の色を変えたり、合焦した測距枠だけを表示することがなされている。また、被写体の合焦した箇所（合焦領域）の確認を容易にするために、再生時に合焦領域を拡大して表示することも行われており、合焦領域が複数ある場合は、切り替えて表示することができるようにされている。
【０００４】
下記の特許文献１には、主として以下の内容が記載されている。
・撮影後に合焦した付近の画像を画面全体に表示する。
・ＡＦ（Auto Focus）マルチ枠機能の場合に合焦した付近の画像を全体に拡大表示する。
・視線判別でも行う。
・拡大表示した結果を確認し、撮影画像の削除を行える。
・拡大表示した画像と本画像を記録媒体に関連付けて記録できる。
・シャッターの半押し時に拡大し、深押しで記録できる。
【０００５】
【特許文献１】特開２０００−１２５１７８号公報
【０００６】
下記の特許文献２には、主として以下の内容が記載されている。
・合焦した部分を拡大表示するモードと本画像を表示するモードを切り替えることができる。
・合焦した部分の拡大表示が複数有り、ユーザの操作により切り替える手段がある。
【０００７】
【特許文献２】特開２００２−４４４９３号公報
【０００８】
下記の特許文献３には、主として以下の内容が記載されている。
・合焦した枠範囲を拡大表示する。
・再生で合焦情報をもとに、合焦した枠範囲を拡大表示する。
・拡大する領域はユーザによって設定が可能である。
・拡大率や表示位置の設定も可能である。
・拡大表示中にユーザ設定が変えられる。
・全画像表示と部分拡大画像を切り替えることを指示する表示モード指示手段がある。
【０００９】
【特許文献３】特開２００３−１４３４４４号公報
【発明の開示】
【発明が解決しようとする課題】
【００１０】
しかしながら、近年、撮影画像のピントをより細かく合わせるために測距枠の増加や配列の複雑化、測距枠の小型化が進んでおり、合焦領域を示す測距枠（以下、適宜、合焦枠と称する）の数が多くなる場合がある。従来の合焦枠の表示方法では、合焦枠が多くなると拡大表示する画像の数も多くなり、画像の切り替えがステップ数の増加により煩雑となってしまう。例えば、１０点の近接した合焦枠がある場合に、１０箇所の合焦枠を拡大表示し、切り替えて各画像を確認することは、ユーザにとってかなりの負担となる。
【００１１】
従ってこの発明の目的は、合焦枠が複数ある場合は、合焦評価値が高い合焦枠を優先的に拡大表示する撮像装置および撮像表示方法を提供することである。
【００１２】
この発明の他の目的は、合焦枠の数が多く存在してもユーザの設定した比率によりまとめることでステップ数の増加を防ぎ、ユーザの負担を軽減できる撮像装置および撮像表示方法を提供することである。
【００１３】
この発明の他の目的は、合焦枠の数が多く存在しても、画像のフォーカスを素早くかつ容易に確認できる撮像装置および撮像表示方法を提供することである。
【課題を解決するための手段】
【００１４】
上述した課題を解決するために、請求項１に係る発明は、被写体を撮影し、被写体の画像データを表示する表示部を備えた撮像装置において、被写体の撮影時に表示部には、被写体と被写体の合焦領域を示す表示枠が重畳して表示され、画像データの再生時に、近接合焦領域をより多く有する表示枠を優先的に拡大表示するようにした撮像装置である。
【００１５】
請求項３に係る発明は、被写体を撮影し、被写体の画像データを表示する表示部を備えた撮像装置において、被写体の撮影時に表示部には、被写体と被写体の合焦領域を示す表示枠が重畳して表示され、画像データの再生時に、合焦領域を示す表示枠が互いに近接しているか否かを判別し、近接している場合には、互いに近接する複数の表示枠の全てを含む領域を設定し、設定された領域を優先的に拡大表示するようにした撮像装置である。
【００１６】
請求項６に係る発明は、被写体を撮影し、被写体の画像データを表示部に表示する撮像表示方法において、被写体の撮影時に表示部に、被写体と被写体の合焦領域を示す表示枠が重畳して表示されるステップと、画像データの再生時に、近接合焦領域をより多く有する表示枠を優先的に表示するステップを含む撮像表示方法である。
【００１７】
請求項７に係る発明は、被写体を撮影し、被写体の画像データを表示部に表示する撮像表示方法において、被写体の撮影時に表示部には、被写体と被写体の合焦領域を示す表示枠が重畳して表示されるステップと、画像データの再生時に、合焦領域を示す表示枠が互いに近接しているか否かを判別するステップと、近接している場合に、互いに近接する複数の表示枠の全てを含む領域を設定するステップと、設定された領域を優先的に拡大表示するステップを含む撮像表示方法である。
【発明の効果】
【００１８】
この発明によれば、合焦枠が一つの場合と複数の場合とでユーザに対する表示の仕方を自動で変えることにより、ユーザは、被写体の合焦ポイントを容易に認識できる。また、合焦枠が複数の場合でも、合焦の評価値が高い画像が優先的に拡大表示されるので、ユーザの意識をより合焦している領域へ誘導することが可能となる。
【００１９】
この発明によれば、近接する複数の合焦枠がある場合でも、複数の合焦枠をまとめて領域を設定し、更に設定した領域を拡大する倍率と中心とを自動で制御することにより、ユーザに対して拡大表示する画面のステップ数を削減することができ、操作性を向上することができる。
【発明を実施するための最良の形態】
【００２０】
以下、図面を参照しながらこの発明の一実施形態について説明する。この一実施形態では、撮像装置をディジタル電子スチルカメラ（以下、適宜、ディジタルカメラと称する）として説明するが、ディジタルカメラに限定されるわけではなく、カムコーダ等の他の撮像装置にもこの発明を適用することができる。
【００２１】
図１は、この一実施形態におけるディジタルカメラの全体構成を示す。ディジタルカメラの全体的な制御はＣＰＵ（Central Processing Unit）１１により行われる。また、ＣＰＵ１１の指示信号や各周辺デバイスのデータのやり取りはシステムバス１２を経由して行われる。システムバス１２には、アドレスバスとデータバスが含まれる。各種データはＲＡＭ（Random Access Memory）１７に展開され、処理が施される。また、ディジタルカメラの制御プログラムは、ＲＯＭ（Reed Only Memory）１８に格納される。
【００２２】
参照符号１３はレンズを示す。レンズ１３はレンズ駆動部１４により制御され、フォーカシング動作を行う。被写体が暗い場合にはストロボ２１が発光する。レンズ１３から取り込まれた被写体光は、撮像素子、例えばＣＣＤ（Charge Coupled Device）１５に供給される。ＣＣＤ１５に供給された光は露光され、ＡＧＣ(Automatic Gain Control)回路（図示しない）に供給される。ＡＧＣ回路の出力信号がＡ／Ｄ（Analog to Digital）コンバータ１６によってディジタル画像データに変換され、変換されたディジタル画像データはシステムバス１２を経由して、ＲＡＭ１７に格納される。
【００２３】
ＲＡＭ１７に格納されたディジタル画像データは、ＤＳＰ（Digital Signal Processor）１９によって例えば、ガンマ補正、輪郭補償などの信号処理が施される。また、ＤＳＰ１９では静止画として取り込まれたディジタル画像データに対してＪＰＥＧ(Joint Photographic Experts Group)などの圧縮処理もなされる。圧縮されたディジタル画像データは、必要に応じて一旦ＲＡＭ１７に取り込まれ、不揮発性デバイスである記録メディア２２に保存される。記録メディア２２は、例えばメモリーカードなどディジタルカメラに着脱可能とされている記録メディアである。
【００２４】
撮影時に被写体をフレーミングするためのモニタリング画像や、撮影画像の再生時に記録メディア２２から読み出されたディジタル画像データは、ビデオ出力回路２３を介して液晶パネル２４（ＬＣＤ（Liquid Crystal Display））に表示される。ビデオ出力回路２３の出力は、ビデオ出力端子２５に対しても供給されるので、ビデオ出力端子２５と接続された外部モニタにディジタル画像データを表示することができる。また、参照符号２０は外部インターフェイスを示し、例えばノート型パーソナルコンピュータなどの外部機器と接続される。
【００２５】
図２は、この一実施形態における撮像装置の動作のフローチャートである。適宜、図３〜図７を参照して、図２のフローチャートを説明する。ステップＳ１では、ユーザにより、まとめ処理がＯＮまたはＯＦＦに設定される。まとめ処理のＯＮ／ＯＦＦは、例えばディジタルカメラに設けられた切替スイッチなどを用いて行われる。尚、まとめ処理の詳細については後述する。まとめ処理の設定がされた後に動作はステップＳ２に進み、被写体の撮影が行われる。
【００２６】
ステップＳ２の撮影処理の一例について図３を参照して説明する。図３Ａに示すように撮影時には、ＬＣＤ３１に被写体と表示枠としての測距枠３２が重畳して表示される。図５は測距枠３２の一例である。この一実施形態では、測距枠３２を３枠×３枠の計９個の枠からなる測距枠３２とし、測距枠３２を構成するそれぞれの枠に対して図６の参照符号ａ１〜ａ９を付して示す。
【００２７】
ＬＣＤ３１内にユーザの所望する被写体が表示された後、ディジタルカメラのシャッターを半押しすると自動的にフォーカシングが行われる（所謂、ＡＦ（Auto Focus）機能）。オートフォーカスの方法は種々の方法があるが、例えばＡ／Ｄコンバータ１６のディジタル出力信号の高周波成分を１フィールド積分し、積分値が最大になるようにフィードバックする方法がある。フィードバックされた情報をＣＰＵ１１で処理し、レンズ駆動部１４を制御し、レンズ１３の位置を制御して焦点を合わせる。
【００２８】
ＡＦが行われると、図３Ｂに示すように各辺が太く表示された測距枠が表示される。各辺が太く表示された測距枠が合焦枠である。この一実施形態では、図３Ｂに示すように、測距枠ａ４、測距枠ａ６、測距枠ａ７および測距枠ａ８が合焦枠となる。
【００２９】
合焦枠の表示により合焦ポイントを確認した後、ユーザは半押し状態のシャッターを全押しすることにより撮影を行う（ステップＳ２）。撮影が終了すると、動作はステップＳ３へ進む。ステップＳ３では、合焦情報が例えばＲＡＭ１７などの一時保管領域に格納される。ここで合焦情報とは、９つの測距枠のうちどこの測距枠が合焦しているかという合焦枠の位置情報を意味する。
【００３０】
ステップＳ４では、ステップＳ２で撮影された画像の合焦ポイントの確認のため、オートレビューまたは再生が行われ、合焦枠の画像がＬＣＤ３１に拡大表示される。オートレビューとは撮影した画像の合焦枠の画像を、自動的にＬＣＤ３１に拡大表示する処理である。合焦枠の画像の拡大表示はユーザによるマニュアル操作によって表示されるようにしてもよい。ユーザに合焦枠の画像をＬＣＤ３１に拡大表示する際にステップＳ５以降の処理がなされる。
【００３１】
ステップＳ５では合焦枠の数が一つか否かが判別される。合焦枠が一つであれば動作はステップＳ１２に進み、合焦枠の画像が所定の割合で拡大されてＬＣＤ３１に表示され動作は終了する。合焦枠が複数箇所有る場合は、動作はステップＳ６に進む。
【００３２】
ステップＳ６では、まとめ処理がＯＮ又はＯＦＦであるかが判別される。ステップＳ６でまとめ処理がＯＦＦと判別された場合になされる処理（ステップＳ１０〜ステップＳ１２）について図４を用いて説明する。尚、図４においても図３と同じように、９つの測距枠のうち測距枠ａ４、測距枠ａ６、測距枠ａ７および測距枠ａ８を合焦枠として説明する。
【００３３】
ステップＳ１０では４つの合焦枠の画像を拡大表示する順番が決定される。合焦枠が複数箇所ある場合は、近接合焦領域を有する合焦枠を優先的に表示する。近接合焦領域を有する合焦枠を優先的に表示するのは、他の合焦枠に比べ、合焦ポイントがより密であり、合焦の評価値が高いと判別されるためである。
【００３４】
ここで、近接合焦領域について説明する。近接とは、合焦枠同士が互いに辺を共有することをいう。図５を用いてより具体的に説明すると、例えば合焦枠ａ４は、合焦枠ａ７は辺ｂ１で接しており、互いに辺ｂ１を共有する。即ち合焦枠ａ４は合焦枠ａ７と近接している。また、合焦枠ａ７は、辺ｂ１を合焦枠ａ４と共有し、また辺ｂ２を合焦枠ａ８と共有しているから、合焦枠ａ４および合焦枠ａ８と近接しており、近接する合焦枠の数（以下，適宜、近接合焦領域と称する）は２つとなる。同様に、合焦枠ａ８は辺ｂ２を合焦枠ａ７と共有しており、近接している。しかしながら、合焦枠ａ６は近接合焦領域を有しない。合焦枠ａ６は、辺を共有する他の合焦枠を有しないからである。尚、合焦枠ａ６は合焦枠ａ８と頂点ｂ３で接するが、辺を共有していないので合焦枠ａ８とは近接していない。
【００３５】
ステップＳ１０では、近接合焦領域を有する合焦枠ａ４、合焦枠ａ７、合焦枠ａ８をそれぞれ優先的に表示するように順番が決定される。図４の破線内に示すようにＬＣＤ３１には例えば、合焦枠ａ４→合焦枠ａ７→合焦枠ａ８→合焦枠ａ６の順にＬＣＤ３１に各合焦枠の画像が拡大表示される。画面の切替はユーザの操作により行うことができる。また、合焦枠が複数あるため、ＬＣＤ３１にどの合焦枠が拡大表示されているかをユーザにわかるようにすることもできる。例えば、参照符号３３に示すように４枚のうちの１枚目という意味で１／４などと表示してもよい。また、拡大表示している合焦枠の原画像における位置をアイコン３４により確認できるようにしてもよい。
【００３６】
近接合焦領域を有する合焦枠ａ４、合焦枠ａ７、合焦枠ａ８はいずれから表示してもよいが、この発明ではより近接合焦領域を多く有する画像を優先的に拡大表示するようにするようにしてもよい。合焦枠ａ７は、合焦枠ａ４および合焦枠ａ８に比べて近接合焦領域を２つ有していることからより合焦の評価値が高いと判別することができる。従って、ステップＳ１０における表示の順番を決定するステップで、より近接合焦領域を多く有する合焦枠ａ７の拡大画像が先に表示されるようにしてもよい。
【００３７】
ステップＳ１１では、表示された４つの拡大画像をユーザが選択する。選択された画像が、ステップＳ１２でＬＣＤ３１に拡大表示され、動作は終了する。
【００３８】
次に、ステップＳ６でまとめ処理がＯＮされている場合の動作について説明する。ステップＳ６でまとめ処理がＯＮと判別されると動作はＳ７に進み、まとめ処理がされる。まとめ処理とは、合焦枠の数が多い場合にユーザの切り替えるステップ数を少なくするため複数の合焦枠をまとめて表示する処理をいう。ステップＳ７でまとめ判定がなされ、動作はステップＳ８に進み拡大率および中心座標の決定がされる。
【００３９】
ステップＳ７およびステップＳ８におけるまとめ処理を図２Ｂのフローチャートを用いて説明する。この一実施形態では、それぞれ近接合焦領域を有する合焦枠ａ４、合焦枠ａ７、合焦枠ａ８をまとめ処理するものとする。ステップＳ２１でまとめ処理される対象の合焦枠により構成される図形が矩形か否かが判別される。矩形であれば動作はステップＳ２３に進み、矩形の中心が決定される。中心が決定されると動作はステップＳ２４に進む。ステップＳ２４では、矩形を構成する合焦枠の数によりＬＣＤ３１に拡大表示される拡大率が自動的に決定される。
【００４０】
ステップＳ２１において、矩形でないと判別された場合は、動作はステップＳ２２に進む。この一実施形態においてまとめ処理される３つの合焦枠（合焦枠ａ４、合焦枠ａ７、合焦枠ａ８）により構成される図形はＬ字状であり矩形でないため、動作はステップＳ２２に進む。ステップＳ２２およびステップＳ２４の動作を、図６を参照して説明する。
【００４１】
ステップＳ２２では、図６に示すように、はじめに３つの合焦枠（合焦枠ａ４、合焦枠ａ７、合焦枠ａ８）全てを含む矩形を作成し、拡大表示するための原画像における領域の大きさＣ１（以下、領域Ｃ１と称する）が設定される。領域Ｃ１の最大領域は、例えば４枠分までのように任意に設定することができるようにしてもよい。
【００４２】
領域Ｃ１をＬＣＤ３１に拡大表示することもできるが、領域Ｃ１の中心座標を移動させることもできる。例えば領域Ｃ１の中心座標をＤ１とすると、中心Ｄ１は合焦枠ａ７の中心Ｄ２若しくはその周辺に移動される。合焦枠ａ７の中心Ｄ２付近にＤ１を移動させるのは、上述したように合焦枠ａ７は近接合焦領域を２つ有し、他の合焦枠よりも合焦評価値が高いと判別されるため、合焦枠ａ７を中心にしてＬＣＤ３１に拡大表示するためである。
【００４３】
中心座標がＤ１からＤ２付近に移動したことにより、３つの合焦枠のいずれかが領域Ｃ１を外れた場合は、Ｄ２付近を中心として３つの合焦枠を含む領域が設定される。中心座標が決定された後に動作はステップＳ２４へ進む。ステップＳ２４ではＬＣＤ３１に表示するための拡大率が決定され、動作は終了する。
【００４４】
上述したステップＳ７およびステップＳ８の後に、動作はステップＳ９へ進む。ステップＳ９では、まとめ処理がまだ必要か否かが判別される。この一実施形態では、まとめ処理を１回だけ行ったが、合焦枠のそれぞれの位置によってはまとめ処理を数回施した方が拡大表示のステップをより減らすことができる場合がある。例えば、合焦枠がａ３、ａ４、ａ６、ａ７の場合は合焦枠ａ３と合焦枠ａ６および合焦枠ａ４と合焦枠ａ７のようにそれぞれに対してまとめ処理を施すことも可能である。ステップＳ９でまとめ処理が必要と判別されればステップＳ７およびステップＳ８の動作を繰り返す。
【００４５】
ステップＳ９でまとめ処理が不要と判別されると、動作はステップＳ１０に進む。ステップＳ１０では、表示される画像の順番が決められる。図７の破線内に示すように、３つの合焦枠がまとめ処理された領域Ｃ１の拡大画像が、合焦評価値が高いため先に表示される。続いて、合焦枠ａ６が拡大表示される。ステップＳ１１では、拡大表示された画像をユーザが選択し、ステップＳ１２では選択された画像がＬＣＤ３１に拡大表示される。
【００４６】
この発明は、この発明の要旨を逸脱しない範囲内でさまざまな変形や応用が可能であり、上述した一実施形態に限定されることはない。例えば、撮影した本画像が非常に大きいと拡大画像も大きくなってしまうので、拡大画像をフォーカスが確認できる程度に縮小し、例えばＲＡＭや記録メディアに保存してもよい。
【００４７】
また、保管画像を呼び出すモードを設け、保管画像を順次見ていくことを可能としてもよい。その際に、削除する機能をユーザに提供し、削除した場合には関連する本画像も削除できるようにしてもよい。また、再生時に視線検出装置を利用すれば、画像の合焦ポイントを見ることで画像の拡大表示をするモードに切り替えることができる。
【００４８】
また、ディジタル電子スチルカメラに内蔵されている内蔵メモリから通信手段によりパーソナルコンピュータなどの情報処理装置に画像を取り込むことができる。また、パーソナルコンピュータに画像を移動するときに本画像だけを移動し、同時に拡大画像を削除できるようにしてもよい。
【００４９】
また、２つのカメラを内蔵していて一度に撮影できるカメラの場合に主カメラの合焦ポイントから一番遠い箇所に副カメラの画像を合成するものがある。このようなカメラに対してこの発明を適用すれば、主カメラの合焦位置および合焦評価を容易に決定することができるので、合焦ポイントを避けて副カメラの画像を合成することができる。
【図面の簡単な説明】
【００５０】
【図１】この発明の一実施形態におけるディジタルカメラの構成を示す図である。
【図２】この発明の一実施形態におけるディジタルカメラの動作を示すフローチャートである。
【図３】この発明の一実施形態におけるディジタルカメラの撮影時の動作を示す略線図である。
【図４】この発明の一実施形態における撮像装置により撮影された画像の表示状態を示す略線図である。
【図５】この発明の一実施形態における測距枠の一例を示す略線図である。
【図６】この発明の一実施形態におけるまとめ処理を説明するための略線図である。
【図７】この発明の一実施形態におけるまとめ処理を施した画像の表示状態を示す略線図である。
【符号の説明】
【００５１】
１１          ＣＰＵ
１２          システムバス
１９          ＤＳＰ
３１          ＬＣＤ
３２          測距枠
【図１】
2005295418.tif 000003
【図２】
2005295418.tif 000004
【図３】
2005295418.tif 000005
【図４】
2005295418.tif 000006
【図５】
2005295418.tif 000007
【図６】
2005295418.tif 000008
【図７】
2005295418.tif 000009